【手続補正書】
【提出日】平成16年1月13日(2004.1.13)
【手続補正１】
【補正対象書類名】明細書
【補正対象項目名】特許請求の範囲
【補正方法】変更
【補正の内容】
【特許請求の範囲】
【請求項１】
式（１）：
【化１】
1997194749.tif 000001
（式中、
Ｄ1は、式（２）：
【化２】
1997194749.tif 000002
で示される基であり、
Ｄは、式（２ａ）、（２ａ′）、（２″）、（２ｂ）又は（２ｃ）：
【化３】
1997194749.tif 000003
で示される基であり、
Ｍは、フェニレン基（これは、非置換であるか、又はスルホ、Ｃ1−Ｃ4アルキル、Ｃ1−Ｃ4アルコキシ、ハロゲン、Ｃ2−Ｃ4アルカノイルアミノ、ウレイド若しくは式（３）：
【化４】
1997194749.tif 000004
で示される基で置換されている）又はナフチレン基（これは、非置換であるか、
又はスルホ若しくはヒドロキシで置換されている）であり、
（Ｒ)0-3、（Ｒ1)0-3及び（Ｒ2)0-3は、それぞれ互いに独立して、スルホ、
Ｃ1−Ｃ4アルキル、Ｃ1−Ｃ4アルコキシ及びハロゲンからなる群より選択される０〜３個の同一又は異なる基であり、
Ｔ及びＴ1は、それぞれ互いに独立して、ハロゲン又は１−ピリジニル（これは、非置換であるか、又はカルバモイル若しくはカルボキシで置換されている）
であり、
Ｖ及びＶ1は、それぞれ互いに独立して、非反応性アミノ基であり、
Ｚ及びＺ′は、それぞれ互いに独立して、式（４ａ）又は（４ｂ）：
【化５】
1997194749.tif 000005
（式中、
Ｙは、ビニル又は基−ＣＨ2−ＣＨ2−Ｕであり、Ｕは、脱離基であり、
ｒは、１〜６の整数であり、そして
ｎ、ｍ、ｐ及びｑは、それぞれ互いに独立して、０又は１の数であるが、
ただし、Ｄが式（２ｃ）の基又は式（２ａ′）若しくは（２ｂ）（ここで、ｐ又はｑは、０である）の基であるならば、ｍは１である）で示される化合物。
【請求項２】
Ｙが、ビニル、β−クロロエチル、β−スルファトエチル、
β−チオスルファトエチル、β−アセトキシエチル、β−フェノキシエチル又はβ−ホスファトエチルである、請求項１記載の化合物。
【請求項３】
ｎが、０であり、そしてｍが、１である、請求項１又は２記載の化合物。
【請求項４】
Ｄ1が、式（２ａ1)、（２ａ2)又は（２ａ3)：
【化６】
1997194749.tif 000006
（式中、
Ｒ′は、水素、メチル、メトキシ又はスルホであり、Ｒ″は、水素又はメトキシであり、Ｒ* 及びＲ**の一方は、水素であり、他方は、スルホであり、そしてＹは、ビニル、β−クロロエチル、β−スルファトエチル、β−チオスルファトエチル、β−アセトキシエチル、β−フェノキシエチル又はβ−ホスファトエチルである）で示される基である、請求項１〜３のいずれか１項記載の化合物。
【請求項５】
Ｄが、式（２ａ′）、（２ａ″）又は（２ｂ）の基である、請求項１〜４のいずれか１項記載の化合物。
【請求項６】
Ｄが、式（２ｂ′）：
【化７】
1997194749.tif 000007
（式中、
Ｄ2は、式（２ａ′）：
【化８】
1997194749.tif 000008
（式中、
（Ｒ1)0-3は、スルホ、メチル及びメトキシからなる群より選択される０〜３個の基であり、
Ｚ′は、基−ＳＯ2−Ｙであり、Ｙは、ビニル、β−クロロエチル、β−スルファトエチル、β−チオスルファトエチル、β−アセトキシエチル、β−フェノキシエチル又はβ−ホスファトエチルであり、ｐは、１である）で示される基であり、そして
Ｖは、アミノ；Ｎ−モノ−若しくはＮ，Ｎ−ジ−Ｃ1−Ｃ2アルキルアミノ（これらは、非置換であるか、又はヒドロキシル、スルホ若しくはスルファトで置換されている）；シクロヘキシルアミノ；フェニルアミノ若しくはナフチルアミノ（これらは、非置換であるか、又はメチル、メトキシ、カルボキシ若しくはスルホで置換されている）；Ｎ−Ｃ1−Ｃ2−アルキル−Ｎ−フェニルアミノ（これは、非置換であるか、又はアルキル部分が、ヒドロキシ若しくはスルホで置換されている）；又はモルホリノである）で示される基である、請求項１〜５のいずれか１項記載の化合物。
【請求項７】
式（１ａ）：
【化９】
1997194749.tif 000009
（式中、
（Ｒ)0-2及び（Ｒ1)0-2は同一であり、それぞれ、スルホ、メチル及びメトキシからなる群より選択される０〜２個の同一又は異なる基であり、
Ｙは、ビニル又はβ−スルファトエチルであり、
Ｔは、フルオロ、又は好ましくはクロロであり、そして
Ｖは、アミノ；Ｎ−モノ−若しくはＮ，Ｎ−ジ−Ｃ1−Ｃ2アルキルアミノ（これらは、非置換であるか、又はヒドロキシ、スルホ若しくはスルファトで置換されている）；シクロヘキシルアミノ；フェニルアミノ若しくはナフチルアミノ（これらは、非置換であるか、又はメチル、メトキシ、カルボキシ若しくはスルホで置換されている）；Ｎ−Ｃ1−Ｃ2アルキル−Ｎ−フェニルアミノ（これは、非置換であるか、又はアルキル部分が、ヒドロキシ若しくはスルホで置換されている）；又はモルホリノである）で示される、請求項１記載の化合物。
【請求項８】
式（１ｂ）：
【化１０】
1997194749.tif 000010
（式中、
Ｒ′及びＲ0′は、それぞれ互いに独立して、水素、メチル、メトキシ又はスルホであり、
Ｒ″及びＲ0″は、それぞれ互いに独立して、水素又はメトキシであり、
Ｙは、ビニル又はβ−スルファトエチルであり、そして
Ｖは、アミノ；非置換若しくはスルホ置換の、Ｎ−モノ−若しくはＮ，Ｎ−ジ−Ｃ1−Ｃ2アルキルアミノ；フェニルアミノ（これは、メチル、メトキシ及びスルホからなる群より選択される１〜３個の同一又は異なる基により置換されている）、又は１〜３個のスルホを有する、１−若しくは２−ナフチルアミノである）で示される、請求項１記載の化合物。
【請求項９】
請求項１記載の化合物を製造するための方法であって、
式（７）、（８）及び（９）：
【化１１】
1997194749.tif 000011
（上記式中、
Ｄ、Ｄ1、Ｍ及びｎは、上記と同義である）で示されるそれぞれの化合物約１モル当量を、ジアゾ化及びカップリング（順序はいかなる順序であってもよい）
により反応させることを特徴とする方法。
【請求項１０】
請求項１記載の式（１）の化合物を用いて、ヒドロキシル基含有繊維材料を染色又は捺染する方法。
【請求項１１】
セルロース繊維材料、特に綿含有繊維材料を染色又は捺染する、請求項１０記載の染料。
【請求項１２】
式（１）：
【化３３】
1997194749.tif 000012
（式中、
Ｄ1は、式（２）：
【化３４】
1997194749.tif 000013
で示される基であり、
Ｄは、式（２ａ）、（２ｂ）又は（２ｃ）：
【化３５】
1997194749.tif 000014
で示される基であり、
Ｍは、フェニレン基（これは、非置換であるか、又はスルホ、Ｃ1−Ｃ4アルキル、Ｃ1−Ｃ4アルコキシ、ハロゲン、Ｃ2−Ｃ4アルカノイルアミノ、ウレイド若しくは式（３）：
【化３６】
1997194749.tif 000015
で示される基で置換されている）又はナフチレン基（これは、非置換であるか、
又はスルホ若しくはヒドロキシで置換されている）であり、
（Ｒ)0-3、（Ｒ1)0-3及び（Ｒ2)0-3は、それぞれ互いに独立して、スルホ、
Ｃ1−Ｃ4アルキル、Ｃ1−Ｃ4アルコキシ及びハロゲンからなる群より選択される０〜３個の同一又は異なる基であり、
Ｔ及びＴ1は、それぞれ互いに独立して、ハロゲン又は１−ピリジニル（これは、非置換であるか、又はカルバモイル若しくはカルボキシで置換されている）
であり、
Ｖ及びＶ1は、それぞれ互いに独立して、非反応性アミノ基であり、
Ｚ及びＺ′は、それぞれ互いに独立して、式（４ａ）又は（４ｂ）：
【化３７】
1997194749.tif 000016
（式中、
Ｙは、ビニル又は基−ＣＨ2−ＣＨ2−Ｕであり、Ｕは、脱離基であり、
ｒは、１〜６の整数であり、そして
ｎ、ｍ、ｐ及びｑは、それぞれ互いに独立して、０又は１の数であるが、
ただし、Ｄが式（２ｃ）の基又は式（２ａ′）若しくは（２ｂ）（ここで、ｐ又はｑは、０である）の基であるならば、ｍは１である）
で示される化合物を用いて、窒素含有繊維材料を染色又は捺染する方法。
【手続補正２】
【補正対象書類名】明細書
【補正対象項目名】００２２
【補正方法】変更
【補正の内容】
【００２２】
Ｔ及びＴ1の適切な基の例は、ブロモ、クロロ、フルオロ、３−カルボキシピリジン−１−イル又は３−カルバモイルピリジン−１−イルである。Ｔ及びＴ1は、それぞれ互いに独立して、好適にはクロロ又はフルオロ、特に好適にはクロロである。Ｔ及びＴ1は、異なるか、又は好適には同一であることができる。